(57)【要約】【課題】小規模な仮設足場の組立て作業において使いやすく、より安全な足場組立装置を提供する【解決手段】  立設した設置済パイプに固定される固定部材１１と、第一の端部が固定部材１１に水平方向に軸支され、鉛直面内で回動可能な回動部材１２と、回動部材１２の第二の端部に接続された支持部材１３であって、支持部材１３が略最上方に位置するときに、新設パイプＰの軸心が前記鉛直面内で鉛直方向に延びるように新設パイプＰの円周面を支持する周面支持部１３１と新設パイプＰの下端を下から支持する端支持部１３２とを有する支持部材１３と、支持部材１３に新設パイプＰを固定する固定手段１４と、支持部材１３が略最上方に位置するときに、その状態を保持する保持手段１５と、固定手段１１を解除し、新設パイプＰを端支持部１３２の上をスライドさせたときに新設パイプＰが支持部材１１から脱落しないようにする脱落防止手段１６と、を備えた構成とした。【選択図】図１
2020023856.tif 000002
【特許請求の範囲】
【請求項１】
立設した設置済パイプの上端に継手を介して新設パイプを連結するための足場組立装置であって、
前記立設した設置済パイプに固定される固定部材と、
第一の端部が前記固定部材に水平方向に軸支され、鉛直面内で回動可能な回動部材と、
前記回動部材の第二の端部に接続された支持部材であって、該支持部材が略最上方に位置するときに、前記新設パイプの軸心が前記鉛直面内で鉛直方向に延びるように前記新設パイプの円周面を支持する周面支持部と前記新設パイプの下端を下から支持する端支持部とを有する支持部材と、
前記支持部材に前記新設パイプを固定する固定手段と、
前記支持部材が略最上方に位置するときに、その状態を保持する保持手段と、
前記固定手段を解除し、前記新設パイプを前記端支持部の上を滑らせるように移動させたときに前記新設パイプが前記支持部材から脱落しないようにする脱落防止手段と、
を備えた足場組立装置。
【発明の詳細な説明】
【技術分野】
【０００１】
本発明は、建物の建設やその内部設備の取付け並びに機器の整備点検等に用いられる仮設足場の組立装置に関するものである。
【背景技術】
【０００２】
仮設足場の組立てでは、立設した設置済パイプの上端に、継手を介して新設パイプを連結し、立設させる作業がある。そして、この作業を安全に行うための足場組立装置として、特許文献１に記載のものが提案されている。しかし、特許文献１に記載の足場組立装置は大がかりなものであり、大規模な仮設足場には適しているものの、小規模な仮説足場の組立てには向いていなかった。
【０００３】
このため、従来、小規模な仮設足場の組立て作業においては、人の手だけで行われることが多かった。
【先行技術文献】
【特許文献】
【０００４】
【特許文献１】特開平８−２１０８１号公報
【発明の概要】
【発明が解決しようとする課題】
【０００５】
本発明は、このような事情に鑑みてなされたものであり、小規模な仮設足場の組立て作業においても使いやすく、より安全に作業ができる足場組立装置を提供することを目的としている。
【課題を解決するための手段】
【０００６】
上記課題を解決するために、本発明に係る足場組立装置は、立設した設置済パイプに固定される固定部材と、第一の端部が前記固定部材に水平方向に軸支され、鉛直面内で回動可能な回動部材と、前記回動部材の第二の端部に接続された支持部材であって、該支持部材が略最上方に位置するときに、前記新設パイプの軸心が前記鉛直面内で鉛直方向に延びるように前記新設パイプの円周面を支持する周面支持部と前記新設パイプの下端を下から支持する端支持部とを有する支持部材と、前記支持部材に前記新設パイプを固定する固定手段と、前記支持部材が略最上方に位置するときに、その状態を保持する保持手段と、前記固定手段を解除し、前記新設パイプを前記端支持部の上を滑らせるように移動させたときに前記新設パイプが前記支持部材から脱落しないようにする脱落防止手段と、を備えている。
【発明の効果】
【０００７】
小規模な仮設足場の組立て作業においても使いやすく、より安全に作業ができる。
【図面の簡単な説明】
【０００８】
【図１】第１の実施形態である足場組立装置１を示した説明図である。
【図２】支持部材の形状を示したＡ−Ａ断面図である。
【図３】新設パイプを載せる前の足場組立装置１の状態を示した説明図である。
【図４】新設パイプユニットを示した説明図である。
【図５】第２の実施形態である足場組立システム２０を示した説明図である。
【図６】足場組立装置２を示した説明図である。
【図７】棒部材を示した説明図である。
【図８】二つの足場組立システム２０を用いた例を示した説明図である。
【発明を実施するための形態】
【０００９】
以下、本発明の足場組立装置を具現化した実施形態について、図面を用いて説明するが、本発明の技術的範囲は、もちろんこれだけに限定されるものではない。なお、周知の技術に関しては、詳細な説明を省略する。また、本明細書中で特に断りなく足場組立装置について上方向又は下方向という場合、図１の状態においての上下方向を指すものとする。
【００１０】
（第１の実施形態）
まず、第１の実施形態である足場組立装置１の構成について、図１〜図３を参照して説明する。図１は本実施形態の足場組立装置１を示した説明図である。図２は支持部材の形状を示したＡ−Ａ断面図である。図３は新設パイプを載せる前の足場組立装置の状態を示した説明図である。
【００１１】
図１に示すように、足場組立装置１は、主に固定部材１１、回動部材１２、支持部材１３、固定手段１４、保持手段１５、脱落防止手段１６で構成される。また、支持部材１３は、周面支持部１３１と端支持部１３２とで構成される。
【００１２】
足場組立装置１は、立設した設置済パイプＩの上端に継手Ｊを介して新設パイプＰを連結するための装置である。
【００１３】
固定部材１１は、立設した設置済みパイプＩの上部に固定される。固定部材１１は、二つの部材からなり、設置済みパイプＩを挟むようにしてボルト結合されている。なお、本実施形態ではこのような構成であるが、設置済みパイプＩにしっかり固定することができれば、どのような構成でもよい。
【００１４】
回動部材１２は、棒状部材であり、第一の端部１２ａが固定部材１１に軸心が水平方向である水平支軸によって軸支され、鉛直面内で回動可能となっている。
【００１５】
支持部材１３は、周面支持部１３１と端支持部１３２とで構成される。具体的には、断面がコ字状の棒状部材をＬ字状に接合したような形状をしている。周面支持部１３１には、新設パイプＰの円周面がちょうど収まるようになっている。すなわち、円周面を支持している。端支持部１３２は、新設パイプＰの端部が余裕を持って収まるようになっている。支持部材１３は、回動部材１２の第二の端部１２ｂに接続されている。
【００１６】
図１に示すように、支持部材１３が略最上方に位置するときに、新設パイプＰの軸心が、回動部材１２が回動する鉛直面内で鉛直方向に延びるように周面支持部１３１は構成されている。また、支持部材１３が略最上方に位置するときに、新設パイプＰの下端を下から支持するように端支持部１３２は構成されている。
【００１７】
また、図２に示すように、端支持部１３２は、底面１３２ａを有し、底面１３２ａ上に新設パイプＰの下端を載せて、人が新設パイプＰを押したり引いたりすることで新設パイプＰをスライドさせることができるようになっている。また、底面１３２ａには、直径が新設パイプＰの直径よりもやや大きい半円弧状の切欠部１３２ｂが設けられており、スライドさせた新設パイプＰが切欠部１３２ｂを超えると下に落ちるようになっている。
【００１８】
支持部材１３が略最上方に位置するときに、後述の保持手段１５によって、その状態が保持されるようになっているが、このとき前述のスライドさせた新設パイプＰが切欠部１３２ｂを超えて下に落ちると、ちょうど下方にあるジョイントＪに嵌合するようになっている。
【００１９】
固定手段１４は、支持部材１３に新設パイプＰを固定する。図２に示すように、固定手段１４は、支持部材１３に固定された受け部材１４ａ、１４ａと、受け部材１４ａ、１４ａとボルト結合されることで新設パイプＰを支持部材１３に固定する押圧部材１４ｂとからなる。固定手段１４は、二つ設けられている。なお、本実施形態ではこのような構成としたが、新設パイプＰを支持部材１３に固定することができれば、どのような構成でもよい。例えば、ワンタッチ式のクランプを用いてもよい。
【００２０】
保持手段１５は、支持部材１３が略最上方に位置するときに、その状態を保持する。保持手段１５は、端支持部１３２の端部で、周面支持部１３１とは反対側の端部に接続され、下方に延びて途中から折れ曲がり固定部材１１の方向に延びているＬ字型の挿入部材１５ａ、１５ａ、と、挿入部材１５ａの先端を受入れて係止する係合部１５ｂとからなる。挿入部材１５ａは、二つ設けられている。係合部１５ｂは、Ｕ字ボルトにて設置済みパイプに固定されている。本実施形態ではこのような構成としたが、支持部材１３が略最上方に位置するときに、その状態を保持することができるものであれば、どのような構成でも構わない。固定部材１１と係合部１５ｂを一体物としても構わない。
【００２１】
図３に示すように、挿入部材１５ａの先端には切欠き１５ｃが形成されている。係合部１５ｂは、挿入部材１５ａを受入れる穴（図示せず）と、穴の奥に下方向に付勢された係止板１５ｄを有し、挿入部材１５ａを挿入すると係止板１５ｄが切欠き１５ｃに収まり、挿入部材１５ａを係止するようになっている。係止状態を解除するには、係合部１５ｂの外に突出している係止板１５ｄを上方に持ち上げる。このようなラッチ構造は、極めて周知な技術であり、これ以上の説明は省略する。
【００２２】
脱落防止手段１６は、固定手段１５を解除し、新設パイプＰを端支持部１３２の上を滑らせるように移動させたときに新設パイプＰが支持部材１３から脱落しないようにする。
図２に示すように、脱落防止手段１６は、支持部材１３に固定され、新設パイプＰから設置済みパイプＩを見た時の左右方向（図２の上下方向）へ新設パイプＰが脱落するのを防止する案内部材１６ａ、１６ａと、案内部材１６ａ、１６ａの先端とボルト結合されることで新設パイプＰが設置済みパイプの方向へ脱落するのを防止する規制部材１６ｂとからなる。脱落防止手段１６は、二つ設けられている。なお、本実施形態ではこのような構成としたが、新設パイプＰが支持部材１３から脱落しないようにすることができれば、どのような構成でもよい。例えば、ボルト結合をワンタッチ式の結合にしてもよい。
【００２３】
つぎに、足場組立装置１の使用方法について説明する。
図３に示すように、立設する設置済パイプＩの上端に継手Ｊを取付け、設置済パイプＩの上部に固定部材１１を固定する。保持手段１５の係合部１５ｂも設置済パイプＩの上部に固定する。二つの固定手段１４から押圧部材１４ｂをそれぞれ外す。二つの脱落防止手段１６から規制部材１６ｂをそれぞれ外す。新設パイプＰを支持部材１３に載せ、二つの固定手段１４でしっかり固定する。脱落防止手段１６の規制部材１６ｂもそれぞれ取付ける。
【００２４】
この状態で、図１の状態にまで支持部材１３を持ち上げ、保持手段１５で図１の状態を保持する。支持部材１３を持ち上げる際は、踏み台や脚立のようなものを用いて下から行ってもよいし、支持部材１３又は新設パイプＰにロープをかけて設置済パイプＩの上に上り、上から引っ張ってもよい。
【００２５】
いずれにしても図１の状態になったら、設置済パイプＩの上に上り、固定手段１４、１４を解除する。すなわち、押圧部材１４ｂ、１４ｂを取外す。新設パイプＰを手で押し引きしてスライドさせ、新設パイプＰを設置済パイプＩに連結する。この際、脱落防止手段１６、１６があるため、新設パイプＰが支持部材１３から脱落することはない。
【００２６】
新設パイプＰが設置済パイプＩにしっかり連結されていることを確認し、脱落防止手段１６、１６を解除する。すなわち、規制部材１６ｂ、１６ｂを取外す。そして、固定部材１１と係合部１５ｂを取外す。
【００２７】
このように、足場組立装置１を用いることによって、一人であっても安全に設置済パイプＩの上端に新設パイプＰを連結することができる。もちろん、二人で行ってもよい。
【００２８】
（第２の実施形態）
つぎに、第二の実施形態である足場組立システム２０の構成について、図４〜図８を参照して説明する。図４は新設パイプユニットを示した説明図である。図５は本実施形態の足場組立システム２０を示した説明図である。図６は足場組立装置２を示した説明図である。図７は棒部材を示した説明図である。図８は二つの足場組立システム２０を用いた例を示した説明図である。
【００２９】
足場組立システム２０は、図４に示すように、予め新設パイプＰが組付けられたＨ字状の新設パイプユニットＵを、立設した二つの設置済みパイプＩの上端に継手を介して連結するためのシステムである。
【００３０】
図５に示すように、足場組立システム２０は、主に二つの足場組立装置２、棒部材２７で構成される。
【００３１】
図６に示すように、足場組立装置２は、足場組立装置１とほぼ同様の構成であるが、回動部材１２の回動範囲を規制する回動規制手段２８が設けられている。回動規制手段２８は、係合部１５ｂに固定された幅のある半円弧状の板部材２８ａと回動部材１２に設けられたピン２８ｂで構成されている。板部材２８ａには、ピン２８ｂの通る軌跡上に長孔が設けられている。これにより、支持部材２３に固定した新設パイプＰの先端が水平よりやや下がった位置までで規制され、これより下に行かないようになっている。このようにすることで作業性が向上し、また、安全性が向上する。
【００３２】
また、図６に示すように、足場組立装置２の周面支持部２３１には、両側に切欠き２３１ａ、２３１ａが設けられており、新設パイプユニットＵに下さんが設けられている場合でも、下さんを避けて新設パイプＰを支持することができるようになっている。なお、本実施形態では、足場組立装置２をこのような構成としたが、もちろん、足場組立装置１をそのまま用いてもよい。
【００３３】
図７に示すように、棒部材２７は、棒状又は管状であり、中間にクランプ２７１が設けられている。クランプ２７１は、設置済パイプＩの上さん又は中さんに取付けられ、棒部材２７を設置済パイプＩの上さん又は中さんに対して鉛直面内で回動自在に支持させるものである。棒部材２７の一端は、クランプ２７１が設置済パイプＩの上さん又は中さんに取付けられた状態で、軸心が前記鉛直面内を通るように釣り針状に曲がっており、スライド係合部２７ａが形成されている。スライド係合部２７ａの内側面と新設パイプユニットＵの上さん又は中さんとはスライド係合可能になっている。
【００３４】
棒部材２７は中間でくの字に曲がっている。曲がっている方向は、クランプ２７１が設置済パイプＩの上さん又は中さんに取付けられた状態で、鉛直面内上方向である。すなわち、棒部材２７は、支点を設置済パイプＩの上さん又は中さんとし、作用点を新設パイプユニットＵの上さん又は中さんとする、てこの棒である。
【００３５】
つぎに、足場組立システム２０の使用方法について説明する。
図５に示すように、立設する二つの設置済パイプＩの上部それぞれに足場組立装置２を取付ける。取付け方法は、足場組立装置１と同様である。新設パイプユニットＵの立設することになる二つの新設パイプＰをそれぞれの支持部材１３に載せ、それぞれの固定手段１４でしっかり固定する。脱落防止手段１６の規制部材１６ｂもそれぞれ取付ける。
【００３６】
この状態で、棒部材２７のスライド係合部２７ａを新設パイプユニットＵの上さんＵｓに引っかけるようにし、クランプ２７１を設置済パイプＩ、Ｉに架け渡された上さんＩｓに取付ける。棒部材２７の他端に、ワイヤロープＲを取付ける。ワイヤロープＲを図示しないウインチ又はチェーンブロック等でけん引する。これにより、新設パイプユニットＵを設置済みパイプＩの上方まで持ち上げることができる。  
【００３７】
そして図６の状態になったら、保持手段１５によって保持されるので、設置済パイプＩの上に上り、固定手段１４、１４を解除する。すなわち、押圧部材１４ｂ、１４ｂを取外す。新設パイプユニットＵを手で押し引きしてスライドさせ、新設パイプＰを設置済パイプＩに連結する。この際、脱落防止手段１６、１６があるため、新設パイプユニットＵが支持部材１３、１３から脱落することはない。
【００３８】
新設パイプＰが設置済パイプＩにしっかり連結されていることを確認し、脱落防止手段１６、１６を解除する。すなわち、規制部材１６ｂ、１６ｂを取外す。そして、固定部材１１と係合部１５ｂを取外す。
【００３９】
このように、足場組立システム２０を用いることによって、一人であっても安全に設置済パイプＩの上端に新設パイプユニットＵを連結することができる。
また、図８に示すように、二つの足場組立システム２０を用いることによって、一度に二つの新設パイプユニットＵを持ち上げることもできる。ユニット同士の間に連結さんを設ける場合に有効である。なお、この場合の滑車の使い方は、図８のようにする必要はなく自由に変更しても構わない。
【００４０】
上述した内容は、あくまでも本発明の一実施形態に関するものであって、本発明が上記内容に限定されることを意味するものではない。
【符号の説明】
【００４１】
１  足場組立装置（第１の実施形態）
２  足場組立装置
１１  支持部材
１２  回動部材
１３  支持部材  
１４  固定手段
１５  保持手段
１６  脱落防止手段
２０  足場組立システム（第２の実施形態）
１３１  周面支持部    １３２  端支持部
【図１】
2020023856.tif 000003
【図２】
2020023856.tif 000004
【図３】
2020023856.tif 000005
【図４】
2020023856.tif 000006
【図５】
2020023856.tif 000007
【図６】
2020023856.tif 000008
【図７】
2020023856.tif 000009
【図８】
2020023856.tif 000010